(57)【要約】【課題】透過像の視認性の高い有機電界発光素子、照明装置及び照明システムを提供する。【解決手段】実施形態によれば、第１及び第２電極と絶縁層と有機発光層と光透過部と、を備えた有機電界発光素子が提供される。絶縁層は、第１電極の上面の上に設けられる。絶縁層は、第１〜第５絶縁部を含む。第２絶縁部は、第１絶縁部と離間する。第３絶縁部は、第１及び第２絶縁部の間、第４絶縁部は、第２及び第３絶縁部の間、第５絶縁部は、第３及び第４絶縁部の間に設ける。有機発光層は、第１及び第３絶縁部の間の第１部分と、第２及び第４絶縁部の間の第２部分と、を含む。第２電極は、第１部分の上の第１導電部と、第２部分の上の第２導電部と、を含む。光透過部は、上面に対して平行な平面に投影したときに第１電極のうちの第３絶縁部と第５絶縁部との間の第１領域に重なる。【選択図】図１
2014154405.tif 000002
【特許請求の範囲】
【請求項１】
上面を有する光透過性の第１電極と、
前記上面の上に設けられた光透過性の絶縁層であって、
第１絶縁部と、
前記上面に対して平行な第１方向において前記第１絶縁部と離間した第２絶縁部と、
前記第１絶縁部と前記第２絶縁部との間に設けられた第３絶縁部と、
前記第２絶縁部と前記第３絶縁部との間に設けられた第４絶縁部と、
前記第３絶縁部と前記第４絶縁部との間に設けられた第５絶縁部と、
を含む絶縁層と、
前記第１絶縁部と前記第３絶縁部との間において前記上面の上に設けられた第１部分と、前記第２絶縁部と前記第４絶縁部との間において前記上面の上に設けられた第２部分と、を含む有機発光層と、
前記第１部分の上に設けられた第１導電部と、前記第２部分の上に設けられた第２導電部と、を含む光反射性の第２電極と、
前記上面に対して平行な平面に投影したときに前記第１電極のうちの前記第３絶縁部と前記第５絶縁部との間の第１領域に重なり、前記第１領域を透過する第１光の位相を、前記第１電極のうちの前記第４絶縁部と前記第５絶縁部との間の第２領域を透過する第２光の位相と異ならせる光透過部と、
を備えた有機電界発光素子。
【請求項２】
前記光透過部は、前記第１光と前記第２光との位相差を９０°以上２７０°以下にする請求項１記載の有機電界発光素子。
【請求項３】
前記有機発光層は、光透過性を有し、前記第１領域の上に延在し、
前記光透過部は、前記有機発光層の上に設けられる請求項１または２に記載の有機電界発光素子。
【請求項４】
光透過性の第１基板をさらに備え、
前記第１電極は、前記第１基板の上に設けられ、
前記光透過部は、前記第１基板に設けられる請求項１または２に記載の有機電界発光素子。
【請求項５】
光透過性の第１基板と、光透過性の第２基板と、をさらに備え、
前記第１電極は、前記第１基板の上に設けられ、
前記第２基板は、前記第１電極と前記絶縁層と前記有機発光層と前記第２電極とを含む積層体の上に設けられ、
前記光透過部は、前記第２基板に設けられる請求項１または２に記載の有機電界発光素子。
【請求項６】
前記光透過部は、前記第１電極の上に設けられ、前記絶縁層と同じ材料を含み、
前記光透過部の前記上面に対して垂直な方向の長さは、前記絶縁層の前記上面に対して垂直な方向の長さと異なる請求項１または２に記載の有機電界発光素子。
【請求項７】
上面を有する光透過性の第１電極と、
前記上面の上に設けられた光透過性の絶縁層であって、
第１絶縁部と、
前記上面に対して平行な第１方向において前記第１絶縁部と離間した第２絶縁部と、
前記第１絶縁部と前記第２絶縁部との間に設けられた第３絶縁部と、
を含む絶縁層と、
前記第１絶縁部と前記第３絶縁部との間において前記上面の上に設けられた第１部分と、前記第２絶縁部と前記第３絶縁部との間において前記上面の上に設けられた第２部分と、を含む有機発光層と、
前記有機発光層の上に設けられた光透過性の第２電極と、
前記上面に対して平行な平面に投影したときに前記第１電極のうちの前記第１絶縁部と前記第３絶縁部との間の第１領域に重なる光透過部と、
を備え、
前記第１領域を透過する第１光の位相は、前記第１電極のうちの前記第２絶縁部と前記第３絶縁部との間の第２領域を透過する第２光の位相と異なる有機電界発光素子。
【請求項８】
前記第１電極と前記絶縁層との間に設けられ、前記第１電極の一部を露呈させる開口部を有する光反射性の第１配線層を、さらに備えた請求項７記載の有機電界発光素子。
【請求項９】
前記第２電極の上に設けられ、前記第２電極の一部を露呈させる開口部を有する光反射性の第２配線層を、さらに備えた請求項７または８に記載の有機電界発光素子。
【請求項１０】
前記光透過部は、複数の積層により形成された請求項１〜９のいずれか１つに記載の有機電界発光素子。
【請求項１１】
請求項１〜１０のいずれか１つに記載の有機電界発光素子と、
前記第１電極と前記第２電極とに電気的に接続され、前記第１電極及び前記第２電極を介して前記有機発光層に電流を供給する電源部と、
を備えた照明装置。
【請求項１２】
請求項１〜１０のいずれか１つに記載の複数の有機電界発光素子と、
前記複数の有機電界発光素子のそれぞれと電気的に接続され、前記複数の有機電界発光素子のそれぞれの点灯・消灯を制御する制御部と、
を備えた照明システム。
【発明の詳細な説明】
【技術分野】
【０００１】
本発明の実施形態は、有機電界発光素子、照明装置及び照明システムに関する。
【背景技術】
【０００２】
光透過性の第１電極と、第２電極と、第１電極と第２電極との間に設けられた有機発光層と、を含む有機電界発光素子がある。有機電界発光素子を光源として用いた照明装置がある。複数の有機電界発光素子と、これら複数の有機電界発光素子の点灯及び消灯を制御する制御部と、を含む照明システムがある。有機電界発光素子では、複数の開口が設けられた細線状の第２電極や、光透過性の第２電極を用いることにより、光透過性を持たせることが行われている。こうした有機電界発光素子において、透過像の視認性の向上が望まれる。
【先行技術文献】
【特許文献】
【０００３】
【特許文献１】特開２０１１−２４９５４１号公報
【発明の概要】
【発明が解決しようとする課題】
【０００４】
本発明の実施形態は、透過像の視認性の高い有機電界発光素子、照明装置及び照明システムを提供する。
【課題を解決するための手段】
【０００５】
本発明の実施形態によれば、第１電極と、絶縁層と、有機発光層と、第２電極と、光透過部と、を備えた有機電界発光素子が提供される。前記第１電極は、上面を有し、光透過性である。前記絶縁層は、前記上面の上に設けられ、光透過性である。前記絶縁層は、第１絶縁部と、第２絶縁部と、第３絶縁部と、第４絶縁部と、第５絶縁部と、を含む。前記第２絶縁部は、前記上面に対して平行な第１方向において前記第１絶縁部と離間する。前記第３絶縁部は、前記第１絶縁部と前記第２絶縁部との間に設けられる。前記第４絶縁部は、前記第２絶縁部と前記第３絶縁部との間に設けられる。前記第５絶縁部は、前記第３絶縁部と前記第４絶縁部との間に設けられる。前記有機発光層は、前記第１絶縁部と前記第３絶縁部との間において前記上面の上に設けられた第１部分と、前記第２絶縁部と前記第４絶縁部との間において前記上面の上に設けられた第２部分と、を含む。前記第２電極は、前記第１部分の上に設けられた第１導電部と、前記第２部分の上に設けられた第２導電部と、を含み、光反射性である。前記光透過部は、前記上面に対して平行な平面に投影したときに、前記第１電極のうちの前記第３絶縁部と前記第５絶縁部との間の第１領域に重なる。前記第１領域を透過する第１光の位相は、前記第１電極のうちの前記第４絶縁部と前記第５絶縁部との間の第２領域を透過する第２光の位相と異なる。
【図面の簡単な説明】
【０００６】
【図１】図１（ａ）及び図１（ｂ）は、第１の実施形態に係る有機電界発光素子を表す模式図である。
【図２】第１の実施形態に係る有機電界発光素子の一部を表す模式的断面図である。
【図３】図３（ａ）及び図３（ｂ）は、第１の実施形態に係る別の有機電界発光素子の一部を表す模式的平面図である。
【図４】図４（ａ）〜図４（ｃ）は、第１の実施形態に係る別の有機電界発光素子を表す模式的断面図である。
【図５】図５（ａ）〜図５（ｃ）は、第１の実施形態に係る別の有機電界発光素子を表す模式的断面図である。
【図６】図６（ａ）及び図６（ｂ）は、第１の実施形態に係る別の有機電界発光素子を表す模式図である。
【図７】図７（ａ）〜図７（ｃ）は、第１の実施形態に係る別の有機電界発光素子を表す模式的断面図である。
【図８】第１の実施形態に係る別の有機電界発光素子を表す模式的断面図である。
【図９】図９（ａ）及び図９（ｂ）は、第１の実施形態に係る別の有機電界発光素子を表す模式的断面図である。
【図１０】第２の実施形態に係る照明装置を表す模式図である。
【図１１】図１１（ａ）及び図１１（ｂ）は、第３の実施形態に係る照明システムを表す模式図である。
【発明を実施するための形態】
【０００７】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施の形態）
図１（ａ）及び図１（ｂ）は、第１の実施形態に係る有機電界発光素子を表す模式図である。  
図１（ａ）は、模式的断面図であり、図１（ｂ）は、模式的平面図である。
図１（ａ）は、図１（ｂ）のＡ１−Ａ２線断面図である。これらの図は、本実施形態に係る有機電界発光素子の一部を拡大して例示している。  
図１（ａ）及び図１（ｂ）に表したように、有機電界発光素子１１０は、積層体ＳＢを含む。積層体ＳＢは、第１電極１０と、第２電極２０と、有機発光層３０と、絶縁層４０と、を含む。この例において、積層体ＳＢは、光透過部５０をさらに含む。
【０００９】
第１電極１０は、上面１０ａを有する。第１電極１０は、光透過性を有する。第１電極１０は、例えば、透明電極である。
【００１０】
ここで、上面１０ａに対して垂直な方向をＺ軸方向とする。上面１０ａに対して平行な１つの方向をＸ軸方向とする。Ｘ軸方向及びＺ軸方向に対して垂直な方向をＹ軸方向とする。Ｘ軸方向及びＹ軸方向は、Ｚ軸方向に対して垂直な方向である。Ｚ軸方向は、第１電極１０の厚さ方向に相当する。
【００１１】
絶縁層４０は、第１電極１０の上面１０ａの上に設けられる。絶縁層４０は、絶縁部４０ａと、開口部４０ｂと、を有する。絶縁層４０は、例えば、複数の絶縁部４０ａと、複数の開口部４０ｂと、を有する。複数の絶縁部４０ａのそれぞれは、上面１０ａに対して平行な第１方向に並ぶ。複数の絶縁部４０ａのそれぞれは、上面１０ａに対して平行で第１方向に対して垂直な第１方向に延びる。この例では、複数の絶縁部４０ａのそれぞれが、Ｘ軸方向に並び、Ｙ軸方向に延びる。複数の開口部４０ｂのそれぞれは、複数の絶縁部４０ａのそれぞれの間に設けられる。この例では、複数の開口部４０ｂのそれぞれが、Ｙ軸方向に延び、Ｘ軸方向に並ぶ。すなわち、この例では、複数の開口部４０ｂのそれぞれが、溝状である。複数の開口部４０ｂのそれぞれは、第１電極１０の一部を露呈させる。この例では、複数の開口部４０ｂのそれぞれにより、第１電極１０の複数の部分が露呈される。以下では、第１電極１０のうちの開口部４０ｂによって露呈された部分を、露呈部１０ｐと称す。
【００１２】
有機発光層３０は、絶縁層４０の上に設けられる。この例では、有機発光層３０が、絶縁層４０の全体の上に設けられる。この例において、有機発光層３０は、第１電極１０の複数の露呈部１０ｐのそれぞれの上に延在する部分と、絶縁層４０の複数の絶縁部４０ａのそれぞれの上に延在する部分と、を含む。有機発光層３０は、光透過性を有する。
【００１３】
有機発光層３０の厚さ（Ｚ軸方向に沿う長さ）は、絶縁層４０（絶縁部４０ａ）の厚さよりも薄い。有機発光層３０の露呈部１０ｐの上に延在する部分の上面３０ｕと第１電極１０の上面１０ａとの間のＺ軸方向の距離は、絶縁層４０の絶縁部４０ａの上面４０ｕと第１電極１０の上面１０ａとの間のＺ軸方向の距離よりも短い。すなわち、上面３０ｕは、上面４０ｕよりも下に位置する。
【００１４】
第２電極２０は、有機発光層３０の上に設けられる。第２電極２０は、複数の導電部２０ａと、複数の開口部２０ｂと、を有する。導電部２０ａは、第１部分３０ａの少なくとも一部の上に配置される。この例において、第２電極２０は、複数の導電部２０ａを有する。複数の導電部２０ａのそれぞれは、Ｙ軸方向に延び、Ｘ軸方向に並ぶ。複数の導電部２０ａのそれぞれは、上面１０ａに対して平行な平面（Ｘ−Ｙ平面）に投影したときに、露呈部１０ｐと重なる位置に配置される。複数の導電部２０ａのそれぞれの間隔は、複数の絶縁部４０ａのそれぞれの間隔と異なる。Ｘ−Ｙ平面に投影したときに、複数の導電部２０ａのそれぞれの間には、少なくとも１つの絶縁部４０ａが配置される。この例では、複数の導電部２０ａのそれぞれの間に、２つの絶縁部４０ａが配置される。
【００１５】
複数の開口部２０ｂのそれぞれは、複数の導電部２０ａのそれぞれの間に配置される。この例において、複数の開口部２０ｂのそれぞれは、Ｙ軸方向に延びる溝状である。複数の開口部２０ｂのそれぞれは、Ｙ軸方向に延び、Ｘ軸方向に並ぶ。この例では、第２電極２０及び絶縁層４０が、ストライプ状である。
【００１６】
第２電極２０（導電部２０ａ）は、例えば、光反射性を有する。第２電極２０の光反射率は、第１電極１０の光反射率よりも高い。本願明細書においては、第１電極１０の光反射率よりも高い光反射率を有している状態を光反射性という。
【００１７】
ここで、隣り合う２つの導電部２０ａの部分について注目する。有機電界発光素子１１０は、この部分において、６つの絶縁部４０ａを含む。これら６つの絶縁部４０ａを第１絶縁部４１〜第６絶縁部４６とする。第２絶縁部４２は、Ｘ軸方向において第１絶縁部４１と離間する。第３絶縁部４３は、第１絶縁部４１と第２絶縁部４２との間に設けられる。第４絶縁部４４は、第２絶縁部４２と第３絶縁部４３との間に設けられる。第５絶縁部４５は、第３絶縁部４３と第４絶縁部４４との間に設けられる。第６絶縁部４６は、第３絶縁部４３と第５絶縁部４５との間に設けられる。
【００１８】
有機発光層３０は、第１絶縁部４１と第３絶縁部４３との間において第１電極１０の上面１０ａの上に設けられた第１部分３０ａと、第２絶縁部４２と第４絶縁部４４との間において第１電極１０の上面１０ａの上に設けられた第２部分３０ｂと、を含む。
【００１９】
複数の導電部２０ａのうちの１つを第１導電部２１とする。複数の導電部２０ａのうちの別の１つを第２導電部２２とする。第１導電部２１は、第１部分３０ａの上に設けられる。第２導電部２２は、第２部分３０ｂの上に設けられる。第２導電部２２は、第１導電部２１の隣りの導電部２０ａである。
【００２０】
有機発光層３０は、複数の開口部４０ｂのそれぞれを介して第１電極１０と電気的に接続される。有機発光層３０は、例えば、複数の開口部４０ｂのそれぞれを介して第１電極１０の複数の露呈部１０ｐのそれぞれに接する。これにより、有機発光層３０が、第１電極１０と電気的に接続される。
【００２１】
有機発光層３０は、第２電極２０と電気的に接続される。有機発光層３０は、例えば、複数の導電部２０ａのそれぞれに接する。これにより、有機発光層３０が、第２電極２０と電気的に接続される。なお、本願明細書において、「電気的に接続」には、直接接触する場合のほか、間に他の導電部材などが介在する場合も含む。
【００２２】
第１電極１０と第２電極２０とを用いて有機発光層３０に電流を流す。これにより、有機発光層３０が発光する。有機発光層３０は、例えば、電流を流された場合に、電子と正孔とを再結合させ、励起子を生成する。有機発光層３０は、例えば、励起子が放射失活する際の光の放出を利用して発光する。
【００２３】
有機電界発光素子１１０では、有機発光層３０のうちの露呈部１０ｐと導電部２０ａとの間の部分が、発光領域となる。この例において、有機発光層３０は、複数の露呈部１０ｐのそれぞれと複数の導電部２０ａのそれぞれとの間の複数の発光領域を有する。すなわち、この例では、有機発光層３０のうちの第１部分３０ａと第２部分３０ｂとが、発光領域となる。発光領域から発せられた発光光ＥＬは、第１電極１０を介して、有機電界発光素子１１０の外部に出射する。発光光ＥＬの一部は、第２電極２０で反射し、有機発光層３０及び第１電極１０を介して外部に出射する。すなわち、有機電界発光素子１１０は、片面発光型である。
【００２４】
また、有機電界発光素子１１０では、外部から入射する外光ＯＬが、複数の導電部２０ａのそれぞれの間の部分の第１電極１０及び絶縁層４０を透過する。このように、有機電界発光素子１１０は、発光光ＥＬを出射させつつ、外部から有機電界発光素子１１０に入射する外光ＯＬを透過させる。このように、有機電界発光素子１１０は、光透過性を有する。これにより、有機電界発光素子１１０では、有機電界発光素子１１０を介して、背景の像を視認できる。すなわち、有機電界発光素子１１０は、シースルー可能な薄膜状または板状の光源である。
【００２５】
このように、実施形態の有機電界発光素子１１０によれば、光透過性の有機電界発光素子を提供できる。この有機電界発光素子１１０を照明装置に応用した場合、照明機能の他に、背景像を透過させる機能により、種々の新たな応用が可能になる。
【００２６】
光透過部５０は、Ｘ−Ｙ平面に投影したときに、第１電極１０のうちの第３絶縁部４３と第５絶縁部４５との間の第１領域ＡＲ１に重なる位置に設けられる。この例において、第１領域ＡＲ１は、第１電極１０のうちの第５絶縁部４５と第６絶縁部４６との間の領域である。第１領域ＡＲ１は、より詳しくは、Ｘ−Ｙ平面に投影したときに、第１電極１０のうちの第３絶縁部４３と第５絶縁部４５との間において、第３絶縁部４３と、その隣りの絶縁部４０ａとの間の領域である。この例では、第１領域ＡＲ１の上に、有機発光層３０が延在している。この例において、光透過部５０は、有機発光層３０の上に設けられる。光透過部５０は、有機発光層３０のうちの、Ｘ−Ｙ平面に投影したときに、第１領域ＡＲ１に重なる部分の上に設けられる。
【００２７】
光透過部５０は、例えば、複数の導電部２０ａのそれぞれの間の第１領域ＡＲ１に設けてもよい。光透過部５０は、例えば、複数の導電部２０ａのそれぞれの間のうちの１箇所だけに設けてもよい。光透過部５０は、例えば、複数の導電部２０ａのそれぞれの間の複数の第１領域ＡＲ１において、１個置きまたは複数置きに設けてもよい。また、光透過部５０は一つの層により形成されていても良いし、複数の積層により形成されていても良い。
【００２８】
光透過部５０は、光透過性を有する。光透過部５０は、例えば、透明である。光透過部５０は、第１領域ＡＲ１を透過する第１光Ｌ１の位相を、第２領域ＡＲ２を透過する第２光Ｌ２の位相に対して変調する。第２領域ＡＲ２は、第１電極１０において、Ｘ−Ｙ平面に投影したときに、第４絶縁部４４と第５絶縁部４５との間の領域である。有機電界発光素子１１０において、第１領域ＡＲ１を透過する第１光Ｌ１の位相は、第２領域ＡＲ２を透過する第２光Ｌ２を透過する第２光Ｌ２の位相と異なる。すなわち、有機電界発光素子１１０において、光透過部５０の設けられている部分を透過する光の位相は、光透過部５０の設けられていない部分を透過する光の位相と異なる。
【００２９】
真空中を進行する光の波長をλ０とし、光透過部５０の屈折率をｎとした場合、光透過部５０を透過する光の波長はλ０／ｎと表される。光透過部５０を透過しない光はλ０のままであるため、位相差が生じる。このため、真空中を進行する光の波長をλ０に対して、光透過部５０の屈折率ｎ及び膜厚Ｔを調整することにより、第１光Ｌ１の位相を第２光Ｌ２の位相に対して変調させることができる。
【００３０】
光透過部５０は、例えば、第１光Ｌ１と第２光Ｌ２との位相差を９０°以上２７０°以下にする。
【００３１】
第１光Ｌ１と第２光Ｌ２との位相差は、例えば、以下の式で求めることができる。  
ｇ＝２・ＰＩ・Ｔ（ｎ−１）／λ０ 
式において、「ｇ」は、位相差である。「ＰＩ」は、円周率である。「Ｔ」は、光透過部５０の膜厚である。ｎは、光透過部５０の屈折率である。
【００３２】
光透過部５０では、上記の式において、９０°≦ｇ≦２７０°を満たすように、厚さ（Ｚ軸方向の長さ）及び屈折率が設定される。これにより、第１光Ｌ１と第２光Ｌ２との位相差を９０°以上２７０°以下にすることができる。
【００３３】
例えば、光透過部５０に感光性のポリイミドコーティング剤を用いる。この場合、光透過部５０の屈折率ｎは、１．６６である。λ０には、例えば、太陽光のスペクトルが強い波長である０．５５μｍを用いる。この時、光透過部５０の膜厚Ｔは、０．２０８μｍから０．６２５μｍに調整すればよく、好ましくは、逆位相にするために、０．４１７μｍに膜厚Ｔを調整するとよい。また、光透過部５０の屈折率ｎは例えば１〜３程度の範囲内とすることができる。なお、膜厚Ｔと屈折率ｎは、位相差ｇが９０°≦ｇ≦２７０°のとなるように任意に設定することができる。
【００３４】
第１光Ｌ１と第２光Ｌ２との位相差は、より好ましくは、１３５°以上２２５°以下であり、１８０°、あるいは１８０°＋３６０°×ｎ（ｎは自然数）が最も好適である。すなわち、第１光Ｌ１を第２光Ｌ２に対して逆位相とすることが最も好適である。
【００３５】
光透過性の有機電界発光素子において、絶縁層４０を設けることなく、第１電極１０の上に有機発光層３０を設ける構成がある。このような構成では、例えば、第２電極２０の形成の際に、有機発光層３０の発光領域となる部分を傷付けてしまう場合がある。
【００３６】
第２電極２０の形成には、例えば、スパッタリング及び蒸着法が用いられる。このとき、第２電極２０をパターニングするためのマスク（例えばメタルマスク）が有機発光層３０に接触し、有機発光層３０を傷付けてしまう場合がある。発光領域が傷付いてしまうと、素子のリークなどが生じる。このため、例えば、有機発光素子の歩留まりが低下する。
【００３７】
また、光透過性の有機電界発光素子では、導電部２０ａ自体の視認を抑えて背景像を良好に観察できるよう、導電部２０ａの幅をより狭くすることが進められている。この場合、第２電極２０の形成において、より高い精度が要求される。しかしながら、第２電極２０の形成精度を高めると、マスクと有機発光層３０との接触のリスクが高まる。例えば、マスクと対象物との間の距離が遠いと、スパッタリングする材料が、マスクを透過した後に拡散してしまい、形成精度が低下する。スパッタリングなどにおいて形成精度を高めるためには、マスクをより対象物に近づける必要がある。このため、第２電極２０の形成精度を高めると、マスクと有機発光層３０との接触のリスクが高まる。
【００３８】
これに対して、本実施形態に係る有機電界発光素子１１０では、絶縁層４０を含み、絶縁層４０の上に有機発光層３０が設けられる。そして、有機発光層３０の上面３０ｕが、絶縁部４０ａの上面４０ｕよりも下に位置する。これにより、本実施形態に係る有機電界発光素子１１０では、第２電極２０の形成の際に、マスクが有機発光層３０に接触したとしても、発光領域とならない部分に接触する。すなわち、絶縁層４０が、第２電極２０の形成に際して、マスクのストッパとして機能する。
【００３９】
これにより、有機電界発光素子１１０では、例えば、マスクなどが、有機発光層３０の発光領域となる第１部分３０ａや第２部分３０ｂに接触することを抑制できる。有機電界発光素子１１０では、例えば、第２電極２０の形成の際などに、有機発光層３０の発光領域となる第１部分３０ａや第２部分３０ｂに傷が付いてしまうことを抑制できる。有機電界発光素子１１０では、例えば、歩留まりを向上でき、高い信頼性を得られ、幅の狭い導電部２０ａを精度よく形成できる。
【００４０】
また、有機電界発光素子１１０では、第１導電部２１と第２導電部２２との間に、少なくとも１つの絶縁部４０ａが設けられる。これにより、第１導電部２１と第２導電部２２との間の部分でのマスクの撓みを抑制できる。例えば、導電部２０ａの形成精度を高めることができる。
【００４１】
前述のように、光透過性の有機電界発光素子では、第２電極２０を見え難くするために、導電部２０ａの幅を狭くすることが求められている。導電部２０ａの幅を狭くすると、発光領域の面積が縮小される。このため、例えば、第２電極２０をストライプ状のパターン形状とした場合に、第２電極２０を見え難くしつつ、適切な発光輝度を得るためには、導電部２０ａの幅を狭くしつつ、複数の導電部２０ａのピッチを狭くする必要がある。しかしながら、ピッチを狭くすると、透過像の視認性が低下してしまう。例えば、透過像が、ぼやけてしまう。これは、例えば、光の回折に起因しているものと考えられる。
【００４２】
本願発明者は、導電部２０ａのピッチや絶縁部４０ａの形状と、透過像の視認性の低下と、の関係性について鋭意検討を行った。その結果、隣り合う２つの導電部２０ａの間に、絶縁部４０ａの存在する部分と存在しない部分とが交互に並ぶ構成において、透過像の視認性の低下の度合いが強まる傾向にあることを突き止めた。これは、例えば、有機電界発光素子１１０を透過した光の干渉に起因しているものと考えられる。
【００４３】
例えば、隣り合う２つの導電部２０ａの間の部分において、絶縁部４０ａをＸ軸方向に延在させ、隣り合う２つの導電部２０ａの間を絶縁部４０ａで埋めてしまうことも考えられる。この場合には、光の干渉に起因する透過像の視認性の低下を抑えることができる。しかしながら、絶縁部４０ａで埋める構成では、例えば、光透過性が低下してしまう。例えば、透明性が低下してしまう。このため、やはり透過像の視認性が低下してしまう。
【００４４】
これに対して、本実施形態に係る有機電界発光素子１１０では、光透過部５０を設け、第１光Ｌ１の位相を第２光Ｌ２の位相に対して変調している。例えば、第１光Ｌ１と第２光Ｌ２との位相差を９０°以上２７０°以下にしている。例えば、第１光Ｌ１を第２光Ｌ２に対して逆位相にしている。これにより、有機電界発光素子１１０では、光の干渉に起因する透過像の視認性の低下を抑えることができる。さらに、例えば第４絶縁部４４と第５絶縁部４５との間に、絶縁部４０ａの存在していない部分を有しているので、絶縁部４０ａで埋める構成に比べて、光透過性の低下も抑制できる。
【００４５】
図１に示す有機電界発光素子１１０において、絶縁層１０と光透過部５０とが１次元に１／ν０の周期で配置された構造において、光透過部５０を含まない構成における第１光Ｌ１と第２光Ｌ２との光の干渉を考える。すなわち、第１光Ｌ１が第２光Ｌ２に対して同位相である場合を考える。この場合における第１光Ｌ１と第２光Ｌ２が光透過部５０の開口部の大きさよりも十分に離れた領域において結像する透過像の振幅強度を考える。このような場合、基本周波数成分のみを考えると、透過像の振幅強度は例えば、下記の（１）式で表すことができる。
【数１】
2014154405.tif 000003
（１）式において、「ν０」は、格子間隔（絶縁部４０ａのピッチＰｔ２）の逆数である。「ν」は、透過する光のＸ軸方向の位置である。Γは、ガンマ関数である。
【００４６】
（１）式に表したように、第１光Ｌ１が第２光Ｌ２に対して同位相である場合には、高次のスペクトル成分が発生し、透過像がぼけてしまう。
【００４７】
次に、光透過部５０を含む有機電界発光素子１１０における第１光Ｌ１と第２光Ｌ２との光の干渉を考える。ここでは、第１光Ｌ１が第２光Ｌ２に対して逆位相である場合を考える。この場合における第１光Ｌ１と第２光Ｌ２との光の干渉による透過像の振幅強度は、例えば、下記の（２）式で表すことができる。
【数２】
2014154405.tif 000004
（２）式に表したように、第１光Ｌ１が第２光Ｌ２に対して逆位相である場合には、高次のスペクトル成分が発生せず、透過像のぼけを抑制することが可能となる。
【００４８】
これにより、光透過部５０を設け、第１光Ｌ１の位相を第２光Ｌ２の位相に対して変調することで、光の干渉に起因する透過像の視認性の低下を抑制できる。例えば、第１光Ｌ１と第２光Ｌ２との位相差を９０°以上２７０°以下とすることにより、光の干渉に起因する透過像の視認性の低下を良好に抑制することができる。そして、透過像の視認性の低下を抑制する効果は、第１光Ｌ１と第２光Ｌ２との位相差を逆位相となる１８０°あるいは１８０°＋３６０°×ｎとしたときに最大となる。
【００４９】
このように、本実施形態に係る有機電界発光素子１１０では、高い信頼性が得られる。導電部２０ａの高い形成精度が得られる。そして、導電部２０ａのピッチや絶縁部４０ａのピッチ狭めた場合にも、光の干渉に起因する透過像のぼやけを抑制できる。高い光透過性が得られる。透過像の高い視認性が得られる。
【００５０】
上記実施形態では、光透過部５０及び絶縁部４０ａの無い部分を透過する第２光Ｌ２の位相に対して、光透過部５０を透過する第１光Ｌ１の位相を変調している。例えば、第５絶縁部４５を透過する第３光Ｌ３の位相に対して、光透過部５０を透過する第１光Ｌ１の位相を変調してもよい。例えば、第１光Ｌ１を第３光Ｌ３に対して逆位相にする。このようにしても、光の干渉に起因する透過像の視認性の低下を抑制できる。
【００５１】
例えば、第５絶縁部４５の光学距離をＮｄ１とし、光透過部５０の光学距離をＮｄ２としたとき、真空中の光の波長をλ0とした場合、第５絶縁部４５の屈折率をｎ１、膜厚をＴ１、光透過部５０の屈折率をｎ２、膜厚をＴ２とすると、Ｎｄ１の光学距離はＴ１×（ｎ１／λ0）、Ｎｄ２の光学距離は、Ｔ１×（ｎ２／λ0）となる。このため、第５絶縁部４５と光透過部５０の各屈折率と膜厚を調整し、その位相差を９０°以上２７０°以下に調整すれば、透過像の視認性低下を抑制できる。この場合も前記記載にあるように、位相差は逆位相となる１８０°であればより好ましい。
【００５２】
例えば、第１導電部２１と第２導電部２２との間の部分において、第２光Ｌ２の位相に対して変調する光透過部５０と、第３光Ｌ３の位相に対して変調する光透過部５０と、を設けてもよい。これにより、光の干渉に起因する透過像の視認性の低下をより適切に抑えることができる。
【００５３】
図２は、第１の実施形態に係る有機電界発光素子の一部を表す模式的断面図である。  
図２に表したように、有機発光層３０は、第１層３１を含む。有機発光層３０は、必要に応じて、第２層３２及び第３層３３の少なくともいずれかをさらに含むことができる。第１層３１は、可視光の波長を含む光を放出する。第２層３２は、第１層３１と第１電極１０との間に設けられる。第３層３３は、第１層３１と第２電極２０との間に設けられる。
【００５４】
第１層３１には、例えば、Ａｌｑ３（トリス(８−ヒドロキシキノリノラト)アルミニウム）、Ｆ８ＢＴ（ポリ(9,9-ジオクチルフルオレン-ｃｏ-ベンゾチアジアゾール）及びＰＰＶ（ポリパラフェニレンビニレン）などの材料を用いることができる。第１層３１には、ホスト材料と、ホスト材料に添加されるドーパントと、の混合材料を用いることができる。ホスト材料としては、例えばＣＢＰ（4,4'−N,N'-ビスジカルバゾリルール−ビフェニル）、ＢＣＰ（2,9−ジメチル-4,7 ジフェニル−1,10−フェナントロリン）、ＴＰＤ（4,4'−ビス−N−3メチルフェニル−N−フェニルアミノビフェニル）、ＰＶＫ（ポリビニルカルバゾール）及びＰＰＴ（ポリ（３−フェニルチオフェン））などを用いることができる。ドーパント材料としては、例えば、Ｆｌｒｐｉｃ（イリジウム(III)ビス(4,6-ジ-フルオロフェニル)-ピリジネート-N,C2'-ピコリネート）、Ｉｒ（ｐｐｙ）３（トリス (２−フェニルピリジン)イリジウム）及びＦｌｒ６（ビス（２，４−ジフルオロフェニルピリジナト）−テトラキス（１−ピラゾリル）ボラート−イリジウム（ＩＩＩ））などを用いることができる。なお、第１層３１は、上記の材料に限定されない。なお、第１層は、これらの材料に限定されない。
【００５５】
第２層３２は、例えば、正孔注入層として機能する。正孔注入層は、例えば、ＰＥＤＰＯＴ：ＰＰＳ（ポリ(3,4- エチレンジオキシチオフェン)-ポリ(スチレンスルホン酸)）、ＣｕＰｃ(銅フタロシアニン)、及び、ＭｏＯ３（三酸化モリブデン）などの少なくともいずれかを含む。第２層３２は、例えば正孔輸送層として機能する。正孔輸送層は、例えば、α−ＮＰＤ（4，4'−ビス［N−（1−ナフチル）−N−フェニルアミノ］ビフェニル）、ＴＡＰＣ（1,1-ビス[4-[N,N-ジ(p-トリル)アミノ]フェニル]シクロヘキサン）、ｍ−ＭＴＤＡＴＡ（4,4',4''-トリス[フェニル(m-トリル)アミノ]トリフェニルアミン）、ＴＰＤ（ビス(3-メチルフェニル)-N,N'-ジフェニルベンジジン）、及び、ＴＣＴＡ（4，4'，4"−トリ（N− カルバゾリル）トリフェニルアミン）などの少なくともいずれかを含む。第２層３２は、例えば、正孔注入層として機能する層と、正孔輸送層として機能する層と、の積層構造を有しても良い。第２層３２は、正孔注入層として機能する層及び正孔輸送層として機能する層とは別の層を含んでも良い。なお、第２層は、これらの材料に限定されない。
【００５６】
第３層３３は、例えば電子注入層として機能する層を含むことができる。電子注入層は、例えば、フッ化リチウム、フッ化セシウム、及び、リチウムキノリン錯体などの少なくともいずれかを含む。第３層３３は、例えば、電子輸送層として機能する層を含むことができる。電子輸送層は、例えば、Ａｌｑ３（トリス（8キノリノラト）アルミニウム（III））、ＢＡｌｑ(ビス（２−メチル−８− キノリラト）(ｐ−フェニルフェノラート)アルミニウム)、Ｂｐｈｅｎ（バソフェナントロリン）、及び、３ＴＰＹＭＢ（トリス[３−(３−ピリジル)−メシチル]ボラン）などの少なくともいずれかを含む。第３層３３は、例えば、電子注入層として機能する層と、電子輸送層として機能する層と、の積層構造を有しても良い。第３層３３は、電子注入層として機能する層及び電子輸送層として機能する層とは別の層を含んでも良い。なお、第３層３３は、これらの材料に限定されない。
【００５７】
例えば、有機発光層３０から放出される光は、実質的に白色光である。すなわち、有機電界発光素子１１０から出射する光は白色光である。ここで、「白色光」は、実質的に白色であり、例えば、赤色系、黄色系、緑色系、青色系及び紫色系などの白色の光も含む。
【００５８】
第１電極１０は、例えば、Ｉｎ、Ｓｎ、Ｚｎ及びＴｉよりなる群から選択された少なくともいずれかの元素を含む酸化物を含む。第１電極１０には、例えば、酸化インジウム、酸化亜鉛、酸化錫、インジウム錫酸化物（ＩＴＯ：Indium Tin Oxide）膜、フッ素ドープ酸化錫（ＦＴＯ）、インジウム亜鉛酸化物を含む導電性ガラスを用いて作製された膜（例えばＮＥＳＡなど）、金、白金、銀、及び、銅などを用いることができる。第１電極１０は、例えば、陽極として機能する。なお、第１電極１０は、これらの材料に限定されない。
【００５９】
第２電極２０は、例えば、アルミニウム及び銀の少なくともいずれかを含む。例えば、第２電極２０には、アルミニウム膜が用いられる。さらに、第２電極２０として、銀とマグネシウムとの合金を用いても良い。この合金にカルシウムを添加しても良い。第２電極２０は、例えば、陰極として機能する。なお、第２電極２０は、これらの材料に限定されない。
【００６０】
なお、第１電極１０を陰極とし、第２電極２０を陽極とし、第２層３２を電子注入層または電子輸送層として機能させ、第３層３３を正孔注入層または正孔輸送層として機能させてもよい。
【００６１】
絶縁層４０には、例えば、ポリイミド樹脂、アクリル樹脂などの絶縁性の樹脂材料や、シリコン酸化膜（例えばＳｉＯ２）、シリコン窒化膜（例えばＳｉＮ）、または、シリコン酸窒化膜などの絶縁性の無機材料が用いられる。なお、絶縁層４０は、これらの材料に限定されない。
【００６２】
光透過部５０には、例えば、ポリイミド樹脂、ポリシロキサン樹脂、シリコン酸化膜（例えばＳｉＯ２）、シリコン窒化膜（例えばＳｉＮ）、または、シリコン酸窒化膜などが用いられる。なお、光透過部５０は、これらの材料に限定されない。
【００６３】
第１電極１０の厚さ（Ｚ軸方向の長さ）は、例えば、１０ｎｍ以上５００ｎｍ以下である。絶縁部４０ａの厚さは、例えば、１μｍ以上１００μｍ以下である。有機発光層３０の厚さは、例えば、１０ｎｍ以上１μｍ以下である。第２電極２０（導電部２０ａ）の厚さは、例えば、１０ｎｍ以上５００ｎｍ以下である。複数の導電部２０ａのそれぞれの厚さ（高さ）は、例えば、実質的に一定である。
【００６４】
導電部２０ａの幅Ｗ１（Ｘ軸方向の長さ）は、例えば、１００ｎｍ以上２０００μｍ以下である。複数の導電部２０ａのピッチＰｔ１は、例えば、１００ｎｍ以上２０００μｍ以下である。ピッチＰｔ１は、例えば、隣り合う２つの導電部２０ａのＸ軸方向の中心間のＸ軸方向の距離である。複数の導電部２０ａのそれぞれのピッチＰｔ１は、例えば、実質的に一定である。すなわち、複数の導電部２０ａのそれぞれは、Ｘ軸方向に実質的に等間隔に並ぶ。絶縁部４０ａの幅Ｗ２は、例えば、１００ｎｍ以上２０００μｍ以下である。絶縁部４０ａのピッチＰｔ２は、例えば、１００ｎｍ以上２０００μｍ以下である。複数の絶縁部４０ａのそれぞれのピッチＰｔ２は、例えば、実質的に一定である。すなわち、複数の絶縁部４０ａのそれぞれは、Ｘ軸方向に実質的に等間隔に並ぶ。
【００６５】
光透過部５０を有機発光層３０の上に設ける場合、光透過部５０の厚さは、絶縁部４０ａの厚さ以下である。これにより、例えば、第２電極２０の形成の際に、マスクと光透過部５０とが接触することを抑制できる。
【００６６】
図３（ａ）及び図３（ｂ）は、第１の実施形態に係る別の有機電界発光素子の一部を表す模式的平面図である。  
図３（ａ）に表したように、絶縁層４０の絶縁部４０ａは、櫛刃状でもよい。すなわち、絶縁層４０は、Ｘ軸方向に並ぶ複数の部分と、それらの部分をつなぐ部分と、を含んでもよい。この場合には、Ｘ軸方向に並ぶ部分が、第１絶縁部４１〜第６絶縁部４６となる。
【００６７】
図３（ｂ）に表したように、絶縁層４０の絶縁部４０ａは、格子状でもよい。この例では、絶縁層４０が、二次元マトリクス状に並べられた複数の開口部４０ｂを含む。絶縁部４０ａでは、Ｙ軸方向に延びＸ軸方向に並ぶ複数の部分と、Ｘ軸方向に延びＹ軸方向に並ぶ複数の部分と、が互いに交差する。この場合においても、Ｘ軸方向に並ぶ部分が、第１絶縁部４１〜第６絶縁部４６となる。このように、第１絶縁部４１〜第６絶縁部４６のそれぞれは、絶縁部４０ａのうちのＸ軸方向に並ぶ一部分でよい。
【００６８】
同様に、第２電極２０の導電部２０ａも、櫛刃状や格子状などでもよい。第１導電部２１及び第２導電部２２のそれぞれは、導電部２０ａのうちの一部分でよい。
【００６９】
図４（ａ）〜図４（ｃ）は、第１の実施形態に係る別の有機電界発光素子を表す模式的断面図である。  
図４（ａ）に表した有機電界発光素子１１１のように、絶縁層４０は、少なくとも第１絶縁部４１〜第５絶縁部４５を含んでいればよい。
【００７０】
図４（ｂ）に表したように、有機電界発光素子１１２では、第３絶縁部４３と第６絶縁部４６の間に、第７絶縁部４７が設けられる。このように、第３絶縁部４３と第４絶縁部４４との間に、より多数の絶縁部４０ａを設けてもよい。
【００７１】
図４（ｃ）に表したように、有機電界発光素子１１３では、第４絶縁部４４と第５絶縁部４５の間に、第７絶縁部４７が設けられる。このように、第４絶縁部４４と第５絶縁部４５との間に、より多数の絶縁部４０ａを設けてもよい。なお、例えば、第１導電部２１と第２導電部２２との間の距離が長い場合には、第１導電部２１と第２導電部２２との間に、複数の光透過部５０を設けてもよい。
【００７２】
図５（ａ）〜図５（ｃ）は、第１の実施形態に係る別の有機電界発光素子を表す模式的断面図である。  
図５（ａ）に表した有機電界発光素子１１４のように、光透過部５０は、第１電極１０の上面１０ａの上に設けてもよい。換言すれば、光透過部５０は、第１電極１０と有機発光層３０との間に設けてもよい。
【００７３】
図５（ｂ）に表したように、有機電界発光素子１１５では、光透過部５０が、上面１０ａの上に設けられ、絶縁層４０（絶縁部４０ａ）と実質的に同じ材料を含む。光透過部５０の厚さは、絶縁部４０ａの厚さと異なる。光透過部５０の幅は、絶縁部４０ａの幅と実質的に同じである。この例では、光透過部５０が、複数の絶縁部４０ａのそれぞれと実質的に等間隔にＸ軸方向に並ぶ。すなわち、この例では、複数の絶縁部４０ａのうちの１つを光透過部５０として用いている。このように、複数の絶縁部４０ａのうちの１つの高さを変えて、光透過部５０としてもよい。
【００７４】
図５（ｃ）に表した有機電界発光素子１１６のように、有機発光層３０は、絶縁層４０の全体の上に設けられていなくてもよい。有機発光層３０は、第１絶縁部４１と第３絶縁部４３との間の第１部分３０ａと、第２絶縁部４２と第４絶縁部４４との間の第２部分３０ｂと、を少なくとも含んでいればよい。
【００７５】
図６（ａ）及び図６（ｂ）は、第１の実施形態に係る別の有機電界発光素子を表す模式図である。  
図６（ａ）は、有機電界発光素子１２１の模式的断面図であり、図６（ｂ）は、有機電界発光素子１２１の模式的平面図である。図６（ａ）は、図６（ｂ）のＢ１−Ｂ２線断面である。  
図６（ａ）及び図６（ｂ）に表したように、有機電界発光素子１２１では、第２電極２０が、有機発光層３０の上に設けられる。例えば、第２電極２０が、有機発光層３０の全体の上に設けられる。この例において、第２電極２０は、光透過性を有する。第２電極２０は、例えば、透明である。
【００７６】
これにより、有機電界発光素子１２１では、第１電極１０と第２電極２０とを用いて有機発光層３０に電流を流すと、発光領域から発せられた発光光ＥＬが、第１電極１０を介して有機電界発光素子１２１の外部に出射するとともに、第２電極２０を介して有機電界発光素子１２１の外部に出射する。すなわち、有機電界発光素子１２１は、両面発光型である。
【００７７】
有機電界発光素子１２１において、複数の絶縁部４０ａのうちの１つを第１絶縁部４１とする。第１絶縁部４１と離間する別の１つの絶縁部４０ａを第２絶縁部４２とする。第１絶縁部４１と第２絶縁部４２との間の絶縁部４０ａを第３絶縁部４３とする。
【００７８】
有機発光層３０のうちの第１絶縁部４１と第３絶縁部４３との間において上面１０ａの上に設けられた部分を第１部分３０ａとする。有機発光層３０のうちの第２絶縁部４２と第３絶縁部４３との間において上面１０ａの上に設けられた部分を第２部分３０ｂとする。
【００７９】
光透過部５０は、Ｘ−Ｙ平面に対して平行な平面に投影したときに、第１電極１０のうちの第１絶縁部４１と第３絶縁部４３との間の第１領域ＡＲ１に重なる部分に設けられる。この例では、第２電極２０の第１領域ＡＲ１に重なる部分の上に設けられる。光透過部５０は、第１領域ＡＲ１を透過する第１光Ｌ１の位相を、第２領域ＡＲ２を透過する第２光Ｌ２の位相に対して変調する。この例において、第２領域ＡＲ２は、第１電極１０のうちの第２絶縁部４２と第３絶縁部４３との間の領域である。光透過部５０は、前述のように、例えば、第１光Ｌ１の位相を第２光Ｌ２の位相に対して逆位相にする。
【００８０】
これにより、本実施形態に係る有機電界発光素子１２１においても、透過像の高い視認性を得ることができる。
【００８１】
光透過性の第２電極２０には、例えば、第１電極１０に関して説明した材料を用いることができる。また、光透過性の第２電極２０は、例えば、ＭｇＡｇなどの金属材料でもよい。金属材料において、第２電極２０の厚さを５ｎｍ以上２０ｎｍ以下とする。これにより、適切な光透過性を得ることができる。
【００８２】
図７（ａ）〜図７（ｃ）は、第１の実施形態に係る別の有機電界発光素子を表す模式的断面図である。  
図７（ａ）に表した有機電界発光素子１２２のように、両面発光型の素子において、絶縁部４０ａを光透過部５０として用いてもよい。
【００８３】
図７（ｂ）に表したように、有機電界発光素子１２３では、積層体ＳＢが、第１配線層６１をさらに含む。第１配線層６１は、第１電極１０と絶縁層４０との間に設けられる。第１配線層６１は、開口部６１ａと、配線部６１ｂと、を有する。開口部６１ａは、第１電極１０の一部を露呈させる。第１配線層６１は、例えば、複数の開口部６１ａと、複数の配線部６１ｂと、を有する。この例において、複数の開口部６１ａのそれぞれは、Ｙ軸方向に延び、Ｘ軸方向に並ぶ。複数の配線部６１ｂは、複数の開口部６１ａのそれぞれの間に設けられる。すなわち、この例において、第１配線層６１は、ストライプ状のパターン形状である。複数の配線部６１ｂのそれぞれは、例えば、Ｘ−Ｙ平面に投影したときに、複数の絶縁部４０ａのそれぞれと重なる位置に配置される。複数の配線部６１ｂのそれぞれは、必ずしも複数の絶縁部４０ａのそれぞれと重ならなくてもよい。
【００８４】
第１配線層６１は、第１電極１０と電気的に接続される。第１配線層６１は、例えば、第１電極１０に接する。第１配線層６１の導電率は、第１電極１０の導電率よりも高い。第１配線層６１は、光反射性を有する。第１配線層６１の光反射率は、第１電極１０の光反射率よりも高い。第１配線層６１は、例えば、金属配線である。第１配線層６１は、例えば、第１電極１０に流れる電流を伝達する補助電極として機能する。これにより、有機電界発光素子１２３では、例えば、第１電極１０の上面１０ａと平行な方向に流れる電流量をより均一にできる。例えば、面内の発光輝度をより均一にできる。
【００８５】
配線部６１ｂの幅Ｗｈ１（Ｘ軸方向の長さ）は、例えば、１００ｎｍ以上２０００μｍ以下である。この例において、複数の配線部６１ｂのそれぞれのピッチは、複数の絶縁部４０ａのそれぞれのピッチと実質的に同じである。複数の配線部６１ｂのそれぞれのピッチは、例えば、複数の絶縁部４０ａのそれぞれのピッチの整数倍としてもよい。すなわち、絶縁部４０ａに対して１個置きや２個置きなどに配線部６１ｂを設けてもよい。第１配線層６１は、第１電極１０の上面１０ａと反対側の面に設けてもよい。第１配線層６１のパターン形状は、格子状でもよい。
【００８６】
第１配線層６１は、例えば、Ｍｏ、Ｔａ、Ｎｂ、Ａｌ、Ｎｉ及びＴｉよりなる群から選択された、少なくともいずれかの元素を含む。第１配線層６１は、例えば、この群から選択された元素を含む混合膜とすることができる。第１配線層６１は、それらの元素を含む積層膜とすることができる。第１配線層６１には、例えばＮｂ／Ｍｏ／Ａｌ／Ｍｏ／Ｎｂの積層膜を用いることができる。第１配線層６１は、例えば、第１電極１０の電位降下を抑制する補助電極として機能する。第１配線層６１は、電流供給のためのリード電極として機能することができる。
【００８７】
図７（ｃ）に表したように、有機電界発光素子１２４では、積層体ＳＢが、第２配線層６２をさらに含む。第２配線層６２は、第２電極２０の上に設けられる。第２配線層６２は、開口部６２ａと、配線部６２ｂと、を有する。開口部６２ａは、第２電極２０の一部を露呈させる。第２配線層６２は、例えば、複数の開口部６２ａと、複数の配線部６２ｂと、を有する。この例において、複数の開口部６２ａのそれぞれは、Ｙ軸方向に延び、Ｘ軸方向に並ぶ。複数の配線部６２ｂは、複数の開口部６２ａのそれぞれの間に設けられる。すなわち、この例において、第２配線層６０は、ストライプ状のパターン形状である。この例において、複数の配線部６２ｂのそれぞれは、Ｘ−Ｙ平面に投影したときに、複数の絶縁部４０ａのそれぞれと重なる位置に配置される。複数の配線部６２ｂのそれぞれは、例えば、Ｘ−Ｙ平面に投影したときに、複数の絶縁部４０ａのそれぞれと重ならない位置に配置してもよい。
【００８８】
第２配線層６２は、第２電極２０と電気的に接続される。第２配線層６２は、例えば、第２電極２０に接する。第２配線層６２の導電率は、第２電極２０の導電率よりも高い。第２配線層６２は、光反射性を有する。第２配線層６２の光反射率は、第２電極２０の光反射率よりも高い。第２配線層６２は、例えば、金属配線である。第２配線層６２は、例えば、第２電極２０に流れる電流を伝達する補助電極として機能する。これにより、有機電界発光素子１２４では、例えば、第２電極２０のＸ−Ｙ平面方向に流れる電流量をより均一にできる。例えば、面内の発光輝度をより均一にできる。
【００８９】
配線部６２ｂの幅Ｗｈ２（Ｘ軸方向の長さ）は、例えば、１００ｎｍ以上２０００μｍ以下である。この例において、複数の配線部６２ｂのそれぞれは、Ｘ−Ｙ平面に投影したときに、複数の絶縁部４０ａのそれぞれと重なる位置に配置されている。配線部６２ｂは、例えば、絶縁部４０ａに対して１個置きや２個置きなどに設けてもよい。
【００９０】
第２配線層６２は、例えば、第２電極２０と有機発光層３０との間に設けてもよい。第２配線層６２のパターン形状は、格子状でもよい。第２配線層６２には、例えば、第１配線層６１に関して説明した材料を用いることができる。
【００９１】
図８は、第１の実施形態に係る別の有機電界発光素子を表す模式的断面図である。  
図８に表しように、有機電界発光素子１３０は、第１基板８１と、第２基板８２と、シール部８５と、をさらに含む。  
第１電極１０は、第１基板８１の上に設けられる。第１基板８１は、第１主面８１ａと、第２主面８１ｂと、を含む。第２主面８１ｂは、例えば、第１主面８１ａに対して反対側の面である。第２主面８１ｂは、例えば、第１主面８１ａに対して平行である。積層体ＳＢは、第１基板８１の第１主面８１ａの上に設けられる。第１基板８１は、光透過性を有する。第２基板８２は、積層体ＳＢの上に設けられ、第１基板８１と対向する。第２基板８２は、第３主面８２ａと、第４主面８２ｂと、を含む。第４主面８２ｂは、例えば、第３主面８２ａに対して反対側の面である。第４主面８２ｂは、例えば、第３主面８２ａに対して平行である。第３主面８２ａ及び第４主面８２ｂは、例えば、第１主面８１ａに対して平行である。第２基板８２は、光透過性を有する。この例において、積層体ＳＢの構成は、有機電界発光素子１１０に関して説明した構成と同じである。積層体ＳＢの構成は、有機電界発光素子１１１〜１１６、１１８ａ、１２１〜１２４に関して説明した構成でもよい。
【００９２】
シール部８５は、例えば、第１基板８１及び第２基板８２の外縁に沿って環状に設けられ、第１基板８１と第２基板８２とを接着する。これにより、第１基板８１と第２基板８２とによって、積層体ＳＢが封止される。有機電界発光素子１３０では、第１基板８１と第２基板８２との間のＺ軸方向の距離をシール部８５によって規定している。この構成は、例えば、シール部８５に粒状のスペーサ（図示は省略）を含めることによって実現できる。例えば、シール部８５に粒状の複数のスペーサを分散させ、複数のスペーサの径によって、第１基板８１と第２基板８２との間の距離が規定される。
【００９３】
有機電界発光素子１３０において、シール部８５の厚さ（Ｚ軸方向に沿う長さ）は、例えば、５μｍ以上１００μｍ以下である。より好ましくは、例えば、１０μｍ以上２０μｍ以下である。これにより、例えば、水分の浸入などを抑えることができる。シール部８５の厚さは、例えば、シール部８５に分散させるスペーサの径と実質的に同じである。
【００９４】
有機電界発光素子において、第２基板８２に積層体ＳＢを収容する凹部を設ける構成がある。この構成では、第２基板８２の形成が難しくなる。例えば、有機電界発光素子のコストアップを招く。
【００９５】
これに対して、本実施形態に係る有機電界発光素子１３０では、第１基板８１と第２基板８２との間の距離をシール部８５で規定している。これにより、例えば、平板状の第２基板８２を用いることができる。例えば、第２基板８２の形成を容易にできる。有機電界発光素子１３０のコストアップを抑えることができる。
【００９６】
積層体ＳＢと第２基板８２との間の空間には、例えば、不活性ガスなどが充填される。積層体ＳＢと第２基板８２との間に、乾燥剤などを設けてもよい。積層体ＳＢと第２基板８２との間の空間は、例えば、空気層でもよい。積層体ＳＢと第２基板８２との間の空間において、高い真空度を設定してもよい。積層体ＳＢと第２基板８２との間の空間には、例えば、液状の有機封止材などを充填してもよい。
【００９７】
本実施形態に係る有機電界発光素子１３０においても、透過像の高い視認性を得ることができる。
【００９８】
第１基板８１及び第２基板８２には、例えば、ガラス基板、または、樹脂基板などが用いられる。シール部８５には、例えば、紫外線硬化樹脂などが用いられる。
【００９９】
図９（ａ）及び図９（ｂ）は、第１の実施形態に係る別の有機電界発光素子を表す模式的断面図である。  
図９（ａ）に表した有機電界発光素子１３１のように、光透過部５０は、第２基板８２に設けてもよい。この例では、第２基板８２の第３主面８２ａの上に光透過部５０が設けられる。第２基板８２の第４主面８２ｂの上に光透過部５０を設けてもよい。
【０１００】
図９（ｂ）に表した有機電界発光素子１３２のように、光透過部５０は、第１基板８１に設けてもよい。この例では、第１基板８１の第２主面８１ｂの上に光透過部５０が設けられる。第１基板８１の第１主面８１ａの上に光透過部５０を設けてもよい。
【０１０１】
このように、光透過部５０を設ける位置は、Ｘ−Ｙ平面に投影したときに、第１領域ＡＲ１に重なる任意の位置でよい。
【０１０２】
（第２の実施形態）  
図１０は、第２の実施形態に係る照明装置を表す模式図である。  
図１０に表したように、本実施形態に係る照明装置２１０は、第１の実施形態に係る有機電界発光素子（例えば有機電界発光素子１３０）と、電源部２０１と、を備える。
【０１０３】
電源部２０１は、第１電極１０と第２電極２０とに電気的に接続される。電源部２０１は、第１電極１０及び第２電極２０を介して有機発光層３０に電流を供給する。  
本実施形態に係る照明装置２１０によれば、透過像の視認性の高い照明装置を提供できる。
【０１０４】
（第３の実施形態）  
図１１（ａ）及び図１１（ｂ）は、第３の実施形態に係る照明システムを表す模式図である。  
図１１（ａ）に表したように、本実施形態に係る照明システム３１１は、第１の実施形態に係る複数の有機電界発光素子（例えば有機電界発光素子１３０）と、制御部３０１と、を備える。
【０１０５】
制御部３０１は、複数の有機電界発光素子１３０のそれぞれと電気的に接続され、複数の有機電界発光素子１３０のそれぞれの点灯・消灯を制御する。制御部３０１は、例えば、複数の有機電界発光素子１３０のそれぞれの第１電極１０及び第２電極２０と電気的に接続される。これにより、制御部３０１は、複数の有機電界発光素子１３０のそれぞれの点灯・消灯を個別に制御する。
【０１０６】
図１１（ｂ）に表したように、照明システム３１２では、複数の有機電界発光素子１３０のそれぞれが、直列に接続されている。制御部３０１は、複数の有機電界発光素子１３０のうちの１つの有機電界発光素子１３０の第１電極１０と電気的に接続される。そして、制御部３０１は、複数の有機電界発光素子１３０のうちの別の１つの有機電界発光素子１３０の第２電極２０と電気的に接続される。これにより、制御部３０１は、複数の有機電界発光素子１３０のそれぞれの点灯・消灯をまとめて制御する。このように、制御部３０１は、複数の有機電界発光素子１３０のそれぞれの点灯・消灯を個別に制御してもよいし、まとめて制御してもよい。  
本実施形態に係る照明システム３１１、３１２によれば、透過像の視認性の高い照明システムを提供できる。
【０１０７】
実施形態によれば、透過像の視認性の高い有機電界発光素子、照明装置及び照明システムが提供される。
【０１０８】
なお、本願明細書において、「垂直」及び「平行」は、厳密な垂直及び厳密な平行だけではなく、例えば製造工程におけるばらつきなどを含むものであり、実質的に垂直及び実質的に平行であれは良い。
【０１０９】
以上、具体例を参照しつつ、本発明の実施の形態について説明した。しかし、本発明の実施形態は、これらの具体例に限定されるものではない。例えば、有機電界発光素子に含まれる、第１電極、第２電極、有機発光層、絶縁層、第１基板、第２基板、積層体、第１配線層、第２配線層、並びに、照明装置に含まれる電源部、照明システムに含まれる制御部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１１０】
その他、本発明の実施の形態として上述した有機電界発光素子、照明装置及び照明システムを基にして、当業者が適宜設計変更して実施し得る全ての有機電界発光素子、照明装置及び照明システムも、本発明の要旨を包含する限り、本発明の範囲に属する。
【０１１１】
その他、本発明の思想の範疇において、当業者であれば、各種の変更例及び修正例に想到し得るものであり、それら変更例及び修正例についても本発明の範囲に属するものと了解される。
【０１１２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１３】
１０…第１電極、  １０ａ…上面、  ２０…第２電極、  ２０ａ、２１、２２…導電部、  ２０ｂ…開口部、  ３０…有機発光層、  ３０ａ…第１部分、  ３０ｂ…第２部分、  ４０…絶縁層、  ４０ａ、４１〜４７…絶縁部、  ４０ｂ…開口部、  ５０…光透過部、  ６１…第１配線層、  ６１ａ…開口部、  ６１ｂ…配線部、  ６２…第２配線層、  ６２ａ…開口部、  ６２ｂ…配線部、  ８１…第１基板、  ８２…第２基板、  ８５…シール部、  １１０〜１１６、１２１〜１２４、１３０〜１３２…有機電界発光素子、  ２０１…電源部、  ２１０…照明装置、  ３０１…制御部、  ３１１、３１２…照明システム、  ＳＢ…積層体
【図１】
2014154405.tif 000005
【図２】
2014154405.tif 000006
【図３】
2014154405.tif 000007
【図４】
2014154405.tif 000008
【図５】
2014154405.tif 000009
【図６】
2014154405.tif 000010
【図７】
2014154405.tif 000011
【図８】
2014154405.tif 000012
【図９】
2014154405.tif 000013
【図１０】
2014154405.tif 000014
【図１１】
2014154405.tif 000015